(57)【要約】【課題】  駐車場に容易に常設することができ、また使用や収納が簡便で、効率良く日光を遮る自動車用日よけを提供する。【解決手段】  先端に取付具４を持つ日よけシート２と、この日よけシート２を収納する筐体３とより成っている自動車用日よけシート１は、地面に独立してまたは既設の車止めに取付ける。日よけシート２は巻き取り装置１０により巻き込まれ、使用時に引き出して使用する。【選択図】        図１
2006103605.tif 000002
【特許請求の範囲】
【請求項１】
先端に取付具を持つ日よけシートと、この日よけシートを収納する筐体とより成り、この筐体を固定手段により地面に固定されることを特徴とする自動車用日よけ。
【請求項２】
前記日よけシートは、その基端側から車止め用の筐体内へ巻き取られる巻き取り装置を筐体内に有していることを特徴とする請求項１記載の自動車用日よけ。
【請求項３】
前記巻き取り装置は、日よけシートを筐体内に巻き込むシャフトと、このシャフトを回転させるコイルばねより成ることを特徴とする請求項２記載の自動車用日よけ。
【請求項４】
前記巻き取り装置は、日よけシートを巻き込むシャフトと、このシャフトを回転させる手動ハンドルより成ることを特徴とする請求項２記載の自動車用日よけ。
【請求項５】
前記取付具はフックであることを特徴とする請求項１乃至４のいずれかに記載の自動車用日よけ。
【請求項６】
前記筐体に防塵手段を備えたことを特徴とする請求項１乃至５のいずれかに記載の自動車用日よけ。
【発明の詳細な説明】
【技術分野】
【０００１】
この発明は、自動車に用いられる日よけに関する。
【背景技術】
【０００２】
自動車用の日よけ装置は、特許文献１に示すように、布地から成る本体１の一面に、自動車のフロントガラス等のガラス４の内面に吸着させる多数の吸着カップ２を取付けたものがあり、日光を遮断してハンドルや運転席、助手席が暖まるのを防いでいる。また、特許文献２に示すように、アコーディオン式に折り畳み自在になった日よけ本体１と、日よけ本体１の端部に取付られた結束バンド３を巻回させて結束保持できるようなもので、同じく前記と同様な日光を遮断する効果を有すると共に、折り畳んでおけるようにしたものである。
【０００３】
また、特許文献３に示すように、ほぼ自動車の巾に等しい巾をそなえて長手方向の前後端にそれぞれ心棒３を挿通した長方形の可撓性をそなえるシート状のカバー本体１と、上記心棒３に両端と車体の前後端との間を継ぐための懸止片と、該懸止片４と車体の前後端との間に介装される伸縮性中介体とをそなえ、カバー本体１は自動車の屋根の上面に張設された状態で両側に突出した端縁部が自重により垂下しない程度の剛性をそなえ、上記心棒の両端を被覆材６で被覆して成るものである。即ち、自動車のフロント及びリアに懸止片４，４を引っ掛けてカバー本体１を固着して日よけを作っている。
【特許文献１】実開平１−１７２９１０
【特許文献２】実開平１−６７１２０
【特許文献３】実開昭６３−１７２７２２
【発明の開示】
【発明が解決しようとする課題】
【０００４】
しかしながら、前記特許文献１及び２にあっては、自動車とともに携帯し、車体内部に設置するものであり、ハンドル等へ日光が当たるのが防がれるが、熱が外部へ逃げるものでなく、内部に滞留して車内気温を上昇させる不都合があった。また、前記特許文献３にあっては、自動車の外部に設けられる点からは、車内気温を上昇させる欠点は排除されるものの、自動車とともに携帯し、しかも、取り回しや日よけシートの収納場所が考えられておらず、トランク室内のスペースを取る不都合があった。
【０００５】
このため、この発明は、自動車に携帯せずとも、駐車場に容易に設置することができ、使用や日よけシートの収納が簡便で、車体の全体を覆う効率の良い自動車用の日よけを提供する。
【課題を解決するための手段】
【０００６】
この発明に係る自動車用日よけは、先端に取付具を持つ日よけシートと、この日よけシートを収納する筐体とより成り、この筐体を固定手段により地面に固定されることにある（請求項１）。これにより、車両が駐車場に停止後に車両の後方（又は前方）の地面に固定した筐体から日よけシートを引き出し、車両の屋根を覆いながら、前方（又は後方）に至って、取付具にて車両に取付ける。これにより、日よけシートで車両の全体を覆うことができる。なお、自動車用日よけは地面に設置するため車止めとしての利用もできる。
【０００７】
前記日よけシートは、その基端側から筐体内へ巻き取られるように巻き取り装置を筐体内に有している（請求項２）。即ち、不使用時には、日よけシートは筐体内に巻き取られていて、収納の問題の解決が図られている。また、日よけシートの巻き取りのための巻き取り装置は、日よけシートの車止め用の筐体内に巻き込むシャフトと、このシャフトを回転させるコイルばねより成っていたり（請求項３）、また日よけシートを巻き込むシャフトと、このシャフトを回転させる手動ハンドルより成っている（請求項４）。これにより、コイルばねの使用時には、引き出し力によって生じる巻込み力によって、日よけシートは自動的に筐体内に巻き込まれ、また、手動にて巻き込むようにしても良い。
【０００８】
前記取付具は、フックであるのが好ましい（請求項５）。これにより、車両のバンパーなどに容易に係止することができる。
【０００９】
前記の筐体に防塵手段を備えたことにある（請求項６）。これにより、日よけシートの収納時にごみにより汚れることが防がれる。
【発明の効果】
【００１０】
以上のように、この発明によれば駐車場に設置され、筐体から、日よけシートを引き出して、車体に覆えば、この日よけシートにより完全に日光を遮り、車両内の温度上昇を抑えることができる（請求項１）。また、日よけシートは筐体内に巻き取られることから、不使用時の収納の問題の解決が図られる（請求項１）。その筐体内への収納は、コイルばね又は手動の巻き取り装置により行われ、巻き取りも便利である（請求項２，３，４）。この発明は日よけを課題としているが、冬場の霜付防止にも利用できる。
【発明を実施するための最良の形態】
【００１１】
以下、この発明の実施例を図面にもとづいて説明する。
【実施例１】
【００１２】
図１において、この発明の実施例が示され、自動車用日よけ１の使用例が示されている。即ち、日よけシート２が筐体３から引き出され、自動車Ｃの屋根Ｒ上を添って通ってフロントバンパ１３に又は地面に設置したアンカー（図示せず）に取付具４を介して係止している。これにより、日光がどのような位置にあっても、フロントガラス及びリアガラス面は日よけシート２により覆われ、車室内に日光が入らず、温度上昇を抑えることができる。
【００１３】
この自動車用日よけ１は、先端にフック等の取付具４を持つ日よけシート２と、この日よけシート２を収納する筐体３とから成り、図２には、筐体３の分解図が、図３にはその拡大断面が示され、説明すると、上側の蓋部７と下側の箱部８とよりなり、両者は嵌合している。この筐体３は、車止めに耐える強化プラスチックスか又は金属材にて製造され、図４に示すように、筐体３が既設の車止め２４と固定するための固定金具２５を備えている。また車止めを有していない場合には、図示しないが地面と固定する接着テープや杭などを筐体３の下面に取付られる。また、この筐体３内に、前記日よけシート２を収納するための巻き取り装置１０が収納されている。
【００１４】
この巻き取り装置１０は、中心に固定のシャフト１１が設けられ、一方端にこのシャフト１１の回転を阻止する固定具１２が固装されている。この固定金具１２は、下側の箱部８に係止している。また、前記シャフト１１に援嵌する径の大きな日よけシート２を巻き取るためのシャフト１４が設けられ、その一端に回転自在に支持するプーリ１５が固装されている。そしてこのシャフト１４と前記シャフト１１との間にコイルばね１６が介在され、それぞれの端がそれぞれのシャフト１４，１１に固定されている。
【００１５】
この構造により、日よけシートを巻き取るためのシャフト１４に日よけシート２は巻き取られていて、この日よけシート２の先端に固装のフックなどの取付具４を持って引き出すことで、日よけシート２は筐体３内から手にて引き出される。その際にコイルばね１６は巻き込まれて、反発力が生じることになり、日よけシート２を離すと、コイルばね１６の戻し反発力により引き込まれて日よけシート２は筐体３内に収納される。
【００１６】
日よけシート２の先端は、実施例では、押えゴム１８が巾方向に取付られ、前記筐体３を構成する蓋部７と箱部８とから日よけシート２の引き出し口１に係止されている。これにより、引き出し口１は押えゴム１８にて閉塞され、内部にごみや、雨水が入るのを防止される。前記した押えゴム１８には、伸縮紐２２を介してフック４が取付られ、車体や図示しない地面のアンカーに係止される。２０はガイドローラである。
【００１７】
上述の構成において、自動車用日よけ１を使用するには、車両の駐車場の既設の車止め２４に予め固定金具２５を介して設置され、または単独で設置されており、車両が停止された後に、フック４を手に持って日よけシート２を筐体３から引き出し、車体Ｃの上から覆ってフロントまで持ってきて、車体ＣのフロントバンパーＢに係止することで、日よけシート２が自動車に被され、フロント及びリアガラスを日光から遮断することができる。
【００１８】
日よけシート２を取り外すには、フック４の係止を外すことで、該日よけシート２は巻き取り装置１０のコイルばね１６に引かれてシャフト１４に巻き込まれる。最後に押えゴム１８が引き出し口１９に密着して閉じられて完了する。
【００１９】
なお、前記日よけシート２は、この実施例では自動的にコイルばね１６により筐体３内へ引き込まれて収納されるが、コイルばね１６を用いずに手動ハンドルを介してシャフト１４を回転して日よけシート２を巻き取るようにしても良いことは勿論である。
【図面の簡単な説明】
【００２０】
【図１】この発明の実施例を示す自動車用日よけの使用状態の説明図である。
【図２】同上の分解斜視図である。
【図３】同上の拡大断面図である。
【図４】自動車用日よけの既設の車止めに取付けた状態の斜視図である。
【符号の説明】
【００２１】
１  自動車用日よけ
２  日よけシート
３  筐体
４  取付具（フック）
７  蓋部
８  箱部
１０  巻き取り装置
１１  シャフト
１２  固定金具
１４  シャフト
１５  プーリ
１６  コイルばね
１８  押えゴム
１９  引き出し口
【図１】
2006103605.tif 000003
【図２】
2006103605.tif 000004
【図３】
2006103605.tif 000005
【図４】
2006103605.tif 000006